【手続補正書】
【提出日】平成23年1月13日(2011.1.13)
【手続補正１】
【補正対象書類名】明細書
【補正対象項目名】００６２
【補正方法】変更
【補正の内容】
【００６２】
（表１）
（面データ）
面番号        r           d            nd          νd
物面          ∞          ∞
1         52.577       1.60        1.75500       52.29 
2         20.990       3.00  
3         25.493       4.50        1.81600       46.63 
4       -131.416       0.10  
5         22.565       2.80        1.65160       58.54 
6         56.814       1.50  
7        638.364       1.10        1.62004       36.30 
8         17.844     （可変） 
9（絞り）   ∞         4.00  
10        -28.971       1.00        1.72825       28.46 
11        182.076       4.80        1.69680       55.52 
12        -25.710       0.10  
13        527.863       2.90        1.71700       47.93 
14        -49.997     （可変） 
15       -152.015       2.50        1.84666       23.78 
16        -29.039       2.00        1.80400       46.58 
17*        31.559       6.50 
18         50.834       6.50        1.80400       46.58 
19        -37.670       2.00        1.84666       23.78 
20       -145.491       (Bf) 
像面          ∞
（非球面データ）
第17面
κ  ＝  1.0000
A4  ＝ -2.47160E-06
A6  ＝ -1.42350E-09
A8  ＝  0.00000E+00
A10 ＝  0.00000E+00
（各種データ）
f  =  61.00
FNO  =   2.88
2ω  =  39.20
Y  =  21.60 
TL  =  91.29
（可変間隔データ）
無限遠合焦状態    近距離合焦状態
β         0.00              -1.00 
d8         3.20               6.08 
d14        1.20              30.32 
Bf        40.00              40.00 
（条件式対応値）
ｆｖｒ＝−３３．４７５
ｆ１２＝４１．９５０
（１）  ｜ｆｖｒ｜／ｆ１２＝０．８０
（２）  Ｄ／ｆ＝０．９８
（３）  Ｘ１／Ｘ２＝１．１０
【手続補正２】
【補正対象書類名】明細書
【補正対象項目名】００７７
【補正方法】変更
【補正の内容】
【００７７】
（表２）
（面データ）
面番号        r           d            nd          νd
物面          ∞          ∞
1         77.161       1.20        1.62280       57.03 
2         21.083       4.36  
3         26.415       4.45        1.83400       37.17 
4        -94.687       1.59  
5         23.149       2.88        1.60300       65.47 
6         74.335       1.19  
7       -116.105       1.20        1.72825       28.46 
8         20.056     （可変）
9（絞り）   ∞         4.47  
10        -38.008       1.20        1.78472       25.68 
11        155.775       3.83        1.79500       45.30 
12        -28.126       0.20  
13        317.461       2.26        1.81600       46.63 
14        -61.987     （可変） 
15       -209.108       1.84        1.84666       23.78 
16        -71.146       1.20        1.69680       55.52 
17*        30.031      13.06  
18         51.485       5.55        1.62280       57.03 
19       -102.566       3.38        1.84666       23.78 
20       -155.457       (Bf) 
像面          ∞
（非球面データ）
第17面
κ  ＝  0.9487
A4  ＝ -3.33720E-06
A6  ＝ -4.30430E-09
A8  ＝  9.75350E-11
A10 ＝-5.93050E-13
（各種データ）
f  =  62.00
FNO  =   3.05
2ω  =  38.80
Y  =  21.60 
TL  =  96.29
（可変間隔データ）
無限遠合焦状態    近距離合焦状態
β         0.00              -1.00 
d8         2.92               6.00 
d14        1.50              27.22 
Bf        38.00              38.00 
（条件式対応値）
ｆｖｒ＝−３９．５８６
ｆ１２＝３９．７１３
（１）  ｜ｆｖｒ｜／ｆ１２＝１．００
（２）  Ｄ／ｆ＝１．０２
（３）  Ｘ１／Ｘ２＝１．１２
【手続補正３】
【補正対象書類名】明細書
【補正対象項目名】００９０
【補正方法】変更
【補正の内容】
【００９０】
（表３）
（面データ）
面番号        r           d            nd          νd
物面          ∞          ∞
1         50.155       1.20        1.81554       44.35 
2         21.627       3.13 
3         26.048       4.97        1.80440       39.57 
4        -92.734       1.95 
5         24.946       2.82        1.60300       65.47 
6         76.300       1.29 
7       -105.025       1.20        1.64769       33.79 
8         21.392     （可変） 
9（絞り）   ∞         2.38 
10        -28.665       1.20        1.72825       28.46 
11         67.540       4.74        1.67790       50.70 
12        -26.943       0.20 
13        644.209       2.60        1.78590       44.18 
14        -40.340     （可変）
15       -136.790       2.62        1.75520       27.51 
16        -36.281       1.20        1.65100       56.17 
17*        29.881      11.92 
18         49.534       8.38        1.63854       55.48 
19        -40.027       1.20        1.75692       31.59 
20       -133.204       (Bf) 
像面          ∞
（非球面データ）
第17面
κ  ＝  1.0423
A4  ＝ -2.06620E-06
A6  ＝ -1.82980E-08
A8  ＝  1.10000E-10
A10 ＝-2.62190E-13
（各種データ）
f  =  62.20
FNO  =   2.94
2ω  =  38.70
Y  =  21.60 
TL  =  95.55
（可変間隔データ）
無限遠合焦状態    近距離合焦状態
β         0.00              -1.00 
d8         2.96               4.71 
d14        1.10              28.53 
Bf        38.50              38.50 
（条件式対応値）
ｆｖｒ＝−４０．５９７
ｆ１２＝４１．１６４
（１）  ｜ｆｖｒ｜／ｆ１２＝０．９９
（２）  Ｄ／ｆ＝１．０３
（３）  Ｘ１／Ｘ２＝１．０６